(57)【要約】【課題】  複数のデジタルフォトフレームが存在する場合であっても容易にかつ効率的に操作できるデジタルフォトフレームを提供する。【解決手段】  表示部６の表示内容を制御する表示制御部３４を備えるデジタルフォトフレームであって、親機動作モードまたは子機動作モードを設定するモード設定部４４と、設定された動作モードに従った動作を行うよう制御する制御部３０と、他のデジタルフォトフレームに対して、前記親機動作モードまたは前記子機動作モードへの変更指示を送信する送信部４０とを備える。【選択図】図２
2010033004.tif 000002
【特許請求の範囲】
【請求項１】
表示部の表示内容を制御する表示制御部を備えるデジタルフォトフレームであって、
親機動作モードまたは子機動作モードを設定するモード設定部と、
設定された動作モードに従った動作を行うよう制御する制御部と、
他のデジタルフォトフレームに対して、前記親機動作モードまたは前記子機動作モードへの変更指示を送信する送信部と
を備えることを特徴とするデジタルフォトフレーム。
【請求項２】
表示部の表示内容を制御する表示制御部を備えるデジタルフォトフレームであって、
親機動作モードまたは子機動作モードを設定するモード設定部と、
設定された動作モードに従った動作を行うよう制御する制御部と、
他のデジタルフォトフレームから、前記親機動作モードまたは前記子機動作モードへの変更指示を受信する受信部と、
前記変更指示に基づき、前記モード設定部に設定されている動作モードを変更するモード変更部と
を備えることを特徴とするデジタルフォトフレーム。
【請求項３】
表示部の表示内容を制御する表示制御部を備えるデジタルフォトフレームであって、
親機動作モードまたは子機動作モードを設定するモード設定部と、
設定された動作モードに従った動作を行うよう制御する制御部と、
他のデジタルフォトフレームに対して、前記親機動作モードまたは前記子機動作モードへの変更指示を送信する送信部と、
他のデジタルフォトフレームから、前記親機動作モードまたは前記子機動作モードへの変更指示を受信する受信部と、
前記変更指示に基づき、前記モード設定部に設定されている動作モードを変更するモード変更部と
を備えることを特徴とするデジタルフォトフレーム。
【請求項４】
表示部の表示内容を制御する表示制御部を備えるデジタルフォトフレームであって、
親機動作モードまたは子機動作モードを設定するモード設定部と、
設定された動作モードに従った動作を行うよう制御する制御部と、
フォトストレージサーバとの間の通信速度及び他のデジタルフォトフレームの前記フォトフォトストレージサーバとの間の通信速度に基づいて、前記モード設定部に、前記親機動作モードまたは前記子機動作モードの何れを設定するかを判別する判別部
を備えることを特徴とするデジタルフォトフレーム。
【請求項５】
前記判別部による判別結果に基づいて前記他のデジタルフォトフレームに対して、前記親機動作モードまたは前記子機動作モードへの変更指示を送信する送信部を備えることを特徴とする請求項４に記載のデジタルフォトフレーム。
【請求項６】
前記表示制御部は、前記モード設定部に設定された動作モードに従って、前記表示部の表示内容を変更することを特徴とする請求項１〜５の何れか一項に記載のデジタルフォトフレーム。
【請求項７】
前記表示制御部は、前記モード設定部に前記親機動作モードが設定された場合には、前記表示部にメニュー画面を表示し、
前記モード設定部に前記子機動作モードが設定された場合には、前記表示部に画像を表示することを特徴とする請求項６記載のデジタルフォトフレーム。
【請求項８】
前記表示制御部は、前記モード設定部に前記親機動作モードが設定された場合には、前記表示部に画像加工画面を表示し、
前記モード設定部に前記子機動作モードが設定された場合には、前記表示部に加工画像を表示することを特徴とする請求項６記載のデジタルフォトフレーム。
【請求項９】
前記モード設定部に設定された動作モードの変更を禁止する変更禁止手段を備えることを特徴とする請求項１〜８の何れか一項に記載のデジタルフォトフレーム。
【請求項１０】
前記変更禁止手段は、前記表示部において表示されている画像の種類に基づいて前記動作モードの変更を禁止することを特徴とする請求項９記載のデジタルフォトフレーム。
【請求項１１】
親機動作モードまたは子機動作モードを設定するモード設定部と、
設定された動作モードに従った動作を行うよう制御する制御部と、
をそれぞれ有する送信側デジタルフォトフレームと受信側デジタルフォトフレームを備え、
前記送信側デジタルフォトフレームは、
前記受信側デジタルフォトフレームに対して、前記親機動作モードまたは前記子機動作モードへの変更指示を送信する送信部を備え、
前記受信側デジタルフォトフレームは、
前記送信側デジタルフォトフレームから、前記親機動作モードまたは前記子機動作モードへの変更指示を受信する受信部と、
前記受信部により受信した変更指示に基づいて、前記モード設定部に設定されている動作モードを変更するモード変更部と
を備えることを特徴とするデジタルフォトフレームシステム。
【発明の詳細な説明】
【技術分野】
【０００１】
本発明は、デジタルフォトフレーム及びデジタルフォトフレームシステムに関するものである。
【背景技術】
【０００２】
観賞用画像を電気的に表示する表示部を備えたデジタルフォトフレームが知られている（例えば、特許文献１参照）。
【先行技術文献】
【特許文献】
【０００３】
【特許文献１】特開２００１−６７００４号公報
【発明の概要】
【発明が解決しようとする課題】
【０００４】
ところで、複数のデジタルフォトフレームが存在する場合には、各デジタルフォトフレームを個別に操作する必要があり操作が煩雑であった。
【０００５】
本発明の目的は、複数のデジタルフォトフレームが存在する場合であっても容易にかつ効率的に操作できるデジタルフォトフレーム及びデジタルフォトフレームシステムを提供することである。
【課題を解決するための手段】
【０００６】
本発明のデジタルフォトフレームは、表示部の表示内容を制御する表示制御部を備えるデジタルフォトフレームであって、親機動作モードまたは子機動作モードを設定するモード設定部と、設定された動作モードに従った動作を行うよう制御する制御部と、他のデジタルフォトフレームに対して、前記親機動作モードまたは前記子機動作モードへの変更指示を送信する送信部とを備えることを特徴とする。
【０００７】
また、本発明のデジタルフォトフレームは、表示部の表示内容を制御する表示制御部を備えるデジタルフォトフレームであって、親機動作モードまたは子機動作モードを設定するモード設定部と、設定された動作モードに従った動作を行うよう制御する制御部と、他のデジタルフォトフレームから、前記親機動作モードまたは前記子機動作モードへの変更指示を受信する受信部と、前記変更指示に基づき、前記モード設定部に設定されている動作モードを変更するモード変更部とを備えることを特徴とする。
【０００８】
また、本発明のデジタルフォトフレームは、表示部の表示内容を制御する表示制御部を備えるデジタルフォトフレームであって、親機動作モードまたは子機動作モードを設定するモード設定部と、設定された動作モードに従った動作を行うよう制御する制御部と、他のデジタルフォトフレームに対して、前記親機動作モードまたは前記子機動作モードへの変更指示を送信する送信部と、他のデジタルフォトフレームから、前記親機動作モードまたは前記子機動作モードへの変更指示を受信する受信部と、前記変更指示に基づき、前記モード設定部に設定されている動作モードを変更するモード変更部とを備えることを特徴とする。
【０００９】
また、本発明のデジタルフォトフレームは、表示部の表示内容を制御する表示制御部を備えるデジタルフォトフレームであって、親機動作モードまたは子機動作モードを設定するモード設定部と、設定された動作モードに従った動作を行うよう制御する制御部と、フォトストレージサーバとの間の通信速度及び他のデジタルフォトフレームの前記フォトフォトストレージサーバとの間の通信速度に基づいて、前記モード設定部に、前記親機動作モードまたは前記子機動作モードの何れを設定するかを判別する判別部を備えることを特徴とする。
【００１０】
また、本発明のデジタルフォトフレームシステムは、親機動作モードまたは子機動作モードを設定するモード設定部と、設定された動作モードに従った動作を行うよう制御する制御部と、をそれぞれ有する送信側デジタルフォトフレームと受信側デジタルフォトフレームを備え、前記送信側デジタルフォトフレームは、前記受信側デジタルフォトフレームに対して、前記親機動作モードまたは前記子機動作モードへの変更指示を送信する送信部を備え、前記受信側デジタルフォトフレームは、前記送信側デジタルフォトフレームから、前記親機動作モードまたは前記子機動作モードへの変更指示を受信する受信部と、前記受信部により受信した変更指示に基づいて、前記モード設定部に設定されている動作モードを変更するモード変更部とを備えることを特徴とする。
【発明の効果】
【００１１】
本発明のデジタルフォトフレーム及びデジタルフォトフレームシステムによれば、複数のデジタルフォトフレームが存在する場合であっても容易にかつ効率的に操作をすることができる。
【図面の簡単な説明】
【００１２】
【図１】この実施の形態に係るデジタルフォトフレームの外観を示す斜視図である。
【図２】この実施の形態に係るデジタルフォトフレームのシステム構成を示すブロック図である。
【図３】この実施の形態に係るデジタルフォトフレームシステムの構成を示す図である。
【図４】この実施の形態に係るデジタルフォトフレームシステムにおいて表示設定を行っているときの状態を示す図である。
【図５】この実施の形態に係るデジタルフォトフレームシステムにおいて画像加工を行っているときの状態を示す図である。
【図６】この実施の形態に係るデジタルフォトフレームの動作モードの第１の変更処理を示すフローチャートである。
【図７】この実施の形態に係るデジタルフォトフレームの動作モードの第２の変更処理を示すフローチャートである。
【発明を実施するための形態】
【００１３】
以下、図面を参照して本発明の実施の形態に係るデジタルフォトフレーム（以下、ＤＰＦという。）について説明する。なお、一般に、ＤＰＦとしては机等の上に立て掛けて設置するものや、壁に掛けて設置するもの等が存在するが、本発明の実施の形態としては、机等に立て掛けて設置するもの（電子写真立て）を例にして説明する。図１は、本発明の実施の形態に係るＤＰＦの外観を示す斜視図である。ＤＰＦ２は、ガラスやプラスチック等からなる装置本体４を備え、装置本体４の前面には、観賞用画像や時刻等の情報を電気的に表示する表示部としてのＬＣＤパネル６が設けられている。また、装置本体４の前面には、音楽や音声が出力されるスピーカ８と図示しないＤＰＦ２の操作用リモコンから出力される赤外線を検出する赤外線検出部１０が設けられている。また、装置本体４の上面には、ＤＰＦ２の電源のオン／オフ状態を切り替える電源スイッチ１２及びＤＰＦ２の機能設定やＬＣＤパネル６の表示設定の際に使用する操作キー１４が設けられている。また、装置本体４の一方の側面には、画像や音楽等のデータが記憶されたメモリカードが挿入されるメモリカードスロット１６、ＵＳＢ機器が接続されるＵＳＢポート１８及びイーサネット（登録商標）規格等のネットワークケーブルが接続されるネットワーク端子２０が設けられている。
【００１４】
図２は、この実施の形態に係るデジタルフォトフレームのシステム構成を示すブロック図である。ＤＰＦ２の各部を統括的に制御するＣＰＵ３０には、上述の赤外線検出部１０、電源スイッチ１２、操作キー１４、メモリカードスロット１６、ＵＳＢポート１８及びネットワーク端子２０が接続されている。また、ＣＰＵ３０には、ＤＰＦ２の機能の設定や、画像や音楽等のデータが記憶される内部メモリ３２、ＬＣＤパネル６に表示される画像や情報等の表示制御を行う表示制御部３４、スピーカ８から出力される音楽や音声の再生制御を行う再生制御部３６が接続されている。
【００１５】
また、ＣＰＵ３０には、送信部４０、受信部４２、モード設定部４４が接続されている。送信部４０は、他のＤＰＦに対して、親機動作モードまたは子機動作モードへの変更等を指示する制御信号を送信し、受信部４２は、他のＤＰＦから送信された制御信号を受信する。また、モード設定部４４には、ＤＰＦ２の機能設定やＬＣＤパネル６の表示設定を実行できる親機動作モードと、機能や表示の設定が固定される子機動作モードの何れか一方が設定される。なお、ＣＰＵ３０は、モード設定部４４において設定されている動作モードに従って機能する。
【００１６】
図３は、この実施の形態に係るデジタルフォトフレームシステム（以下、ＤＰＦシステムという。）の構成を示す図である。図３に示すように、この実施の形態に係るＤＰＦシステム１００では、４つのＤＰＦ１０２，１０４，１０６及び１０８がネットワーク１１０を介して接続されている。ＤＰＦ１０２〜１０８は、それぞれ上述のＤＰＦ２と同様の構成を有するＤＰＦである。また、ネットワーク１１０は、イーサネット規格のＬＡＮ（ローカルエリアネットワーク）であり、ネットワーク１１０のネットワークケーブルがＤＰＦ１０２〜１０８のそれぞれのネットワーク端子２０に接続されている。ＤＰＦシステム１００においては、ＤＰＦ１０２〜１０８のそれぞれが備える送信部４０から送信される制御信号は、ネットワーク１１０を介して通信され、他のＤＰＦにおいて受信部４２を介して受信される。
【００１７】
次に、ＤＰＦ１０２が親機動作モードに、ＤＰＦ１０４，１０６，１０８のそれぞれが子機動作モードに設定されている場合を例にして、ＤＰＦシステム１００の基本的な使用方法について説明する。なお、以下においては、親機動作モードに設定されているＤＰＦを親機ＤＰＦ、子機動作モードに設定されているＤＰＦを子機ＤＰＦという。親機ＤＰＦ１０２は、自身のＬＣＤパネル６及び子機ＤＰＦ１０４〜１０８のそれぞれのＬＣＤパネル６に表示される画像や情報等の表示コンテンツや、ＬＣＤパネル６の明るさやコントラスト等の機能の設定を、それぞれのＤＰＦの表示制御部３４を介して個別にあるいは一括に設定することができる。
【００１８】
図４は、ＤＰＦシステム１００において表示設定を行っているときの状態を示す図である。図４に示すＤＰＦシステム１００においては、親機ＤＰＦ１０２を操作しながら子機ＤＰＦ１０４の表示内容を確認できるようにＤＰＦ１０２，１０４が設置されている。この場合には、ＤＰＦ１０２のＬＣＤパネル６に表示されているメニュー画面６０において設定された項目（明るさ、コントラスト）は、ＤＰＦ１０４のＬＣＤパネル６に表示されている画像６２に即座に反映される。従って、ＤＰＦシステム１００の使用者は、変更した設定項目の結果を容易に確認することができ、効率的な操作を実行することができる。なお、親機ＤＰＦ１０２で行う表示設定はこれに限られず、例えば内部メモリ３２等に記憶されている複数の画像データの縮小画像（サムネイル画像）の一覧表示を親機ＤＰＦ１０２のＬＣＤパネル６に表示させ、当該一欄表示上で選択された画像を子機ＤＰＦ１０４のＬＣＤパネル６の画面全体に表示させてもよい。この場合には、ＤＰＦシステム１００の使用者は、親機ＤＰＦ１０２に表示されている縮小画像を、子機ＤＰＦ１０４のＬＣＤパネル６の全体で見ることができるため、容易にかつ効率的に所望の画像を選択することができる。
【００１９】
また、親機ＤＰＦ１０２において行われる所定の画像の加工の結果が、ＤＰＦ１０４のＬＣＤパネル６に、加工に同期して表示されるようにしてもよい。例えば、図５に示すように、ＤＰＦ１０２のＬＣＤパネル６に表示されている画像６４をトリム加工して拡大表示すべく、トリム範囲を示す矩形枠６６を画像６４上で移動させる場合に、矩形枠６６によって囲まれている範囲が、矩形枠６６の移動に同期して、ＤＰＦ１０４のＬＣＤパネル６に拡大画像６８として表示される。この場合には、ＤＰＦシステム１００の使用者は、親機ＤＰＦ１０２において行われる画像加工の結果を、子機ＤＰＦ１０４により即座に確認することができるため、容易にかつ効率的に所望の画像を加工を行うことができる。
【００２０】
次に、図６のフローチャートを参照して、ＤＰＦシステム１００におけるＤＰＦの動作モードの第１の変更処理について説明する。なお、ＤＰＦ１０２が親機動作モードに、ＤＰＦ１０４，１０６，１０８のそれぞれが子機動作モードに設定されている場合を例にして説明する。ＤＰＦシステム１００の使用者が、子機ＤＰＦ１０４〜１０８の中から、例えば自分の近くに設置されているＤＰＦであるＤＰＦ１０４を選択し、当該ＤＰＦの操作キー１４を操作すると（ステップＳ１０）、ＤＰＦ１０４のＣＰＵ３０は、子機動作モードへの変化を指示する制御信号をネットワーク１１０を介して親機ＤＰＦ１０２に対して出力する（ステップＳ１２）。ＤＰＦ１０２は、受信部４２を介してＤＰＦ１０４からの制御信号を受信すると（ステップＳ１４）、ＤＰＦ１０２のＣＰＵ３０は、当該信号に基づいてモード設定部４４に設定されているＤＰＦ１０２の動作モードを親機動作モードから子機動作モードへと変更する（ステップＳ１６）。動作モードが子機動作モードに変更されて子機に変化したＤＰＦ１０２のＣＰＵ３０は、子機への変化が終了したことを通知する制御信号を、子機への変化を指示したＤＰＦ１０４に対して送信部４０を介して出力する（ステップＳ１８）。ＤＰＦ１０４の受信部４２がＤＰＦ１０２からの制御信号を受信すると（ステップＳ２０）、ＤＰＦ１０４のＣＰＵ３０は、当該信号に基づいて、モード設定部４４に設定されているＤＰＦ１０４の動作モードを子機動作モードから親機動作モードへと変更する（ステップＳ２２）。ＤＰＦシステム１００の使用者は、このようにして動作モードが親機動作モードに変更されることで親機に変化したＤＰＦ１０４を用いて、ＤＰＦシステム１００の各ＤＰＦの機能や表示の設定を行うことができる。
【００２１】
なお、上述の処理では、使用者によって操作された子機ＤＰＦ１０４は、ステップＳ１２において親機ＤＰＦ１０２のみに制御信号を送信しているが、例えばネットワーク１１０を介して接続されているすべてのＤＰＦに対して制御信号を送信し、動作モードが親機動作モードに設定されているＤＰＦのみが当該制御信号を受信する、或いは受信した制御信号に反応するように構成してもよい。同様に、上述の処理では、子機に変化したＤＰＦ１０２は、ステップＳ１８において子機への変化を指示したＤＰＦ１０４のみに制御信号を送信しているが、例えばネットワーク１１０を介して接続されているすべてのＤＰＦに対して制御信号を送信し、子機動作モードへの動作モードの変更を指示したＤＰＦのみが当該制御信号を受信する、或いは受信した制御信号に反応するように構成してもよい。
【００２２】
また、上述の処理では、ＤＰＦ１０２が親機動作モードに、ＤＰＦ１０４，１０６，１０８のそれぞれが子機動作モードに予め設定されている場合を例にしているが、例えばＤＰＦシステム１００を設置して使用を開始した直後等の、何れのＤＰＦも動作モードが設定されていない場合にも同様の処理が行われる。ただし、この場合には、使用者によって操作されたＤＰＦから送信される制御信号は、ネットワーク１１０を介して接続されているすべてのＤＰＦに対して送信され、当該信号を受信したすべてのＤＰＦのモード設定部４４において子機動作モードが設定される。子機動作モードが設定されて子機に変化した各ＤＰＦは、子機への変化を指示したＤＰＦに対して子機への変化の終了通知する制御信号を出力する。
【００２３】
なお、ネットワーク１１０に接続されているＤＰＦが、操作しているＤＰＦ１台のみである場合や、他に接続されているすべてのＤＰＦの電源がオフ状態である場合等、他のＤＰＦが検出されない場合には、操作しているＤＰＦの動作モードは常に親機動作モードに設定される。なお、この場合には、後述するモード固定機能によって親機動作モードが固定されるようにしてもよい。
【００２４】
また、新たなＤＰＦがネットワーク１１０に接続されたり、電源オフ状態で接続されているＤＰＦの電源がオン状態に切り替えられたりした場合には、既に親機に設定されているＤＰＦが当該ＤＰＦの存在を検出し、当該ＤＰＦに対して子機動作モードの設定を指示する制御信号を出力する。
【００２５】
次に、図７のフローチャートを参照して、ＤＰＦシステム１００におけるＤＰＦの動作モードの第２の変更処理について説明する。なお、上述の第１の変更処理に係る説明と同様に、ＤＰＦ１０２が親機動作モードに、ＤＰＦ１０４，１０６，１０８のそれぞれが子機動作モードに設定されている場合を例にして説明する。ＤＰＦシステム１００の使用者が、親機ＤＰＦ１０２を操作し、ネットワーク１１０を介して接続されている子機ＤＰＦ１０４〜１０８の中からＤＰＦ１０４を新たに親機に設定する場合には、ＤＰＦ１０２のＣＰＵ３０は、親機動作モードへの変化を指示する制御信号をネットワーク１１０を介してＤＰＦ１０４に対して出力する（ステップＳ３２）。ＤＰＦ１０４は、受信部４２を介してＤＰＦ１０２からの制御信号を受信すると（ステップＳ３４）、ＤＰＦ１０４のＣＰＵ３０は、当該信号に基づいて、ＤＰＦ１０４の動作モードを子機動作モードから親機動作モードへと変更する（ステップＳ３６）。動作モードが親機動作モードに変更されて親機に変化したＤＰＦ１０４のＣＰＵ３０は、親機への変化が終了したことを通知する制御信号を、親機への変化を指示したＤＰＦ１０２に対して送信部４０を介して出力する（ステップＳ３８）。ＤＰＦ１０２の受信部４２がＤＰＦ１０４からの制御信号を受信すると（ステップＳ４０）、ＤＰＦ１０２のＣＰＵ３０は、当該信号に基づいて、ＤＰＦ１０２の動作モードを親機動作モードから子機動作モードへと変更する（ステップＳ４２）。ＤＰＦシステム１００の使用者は、このようにして親機に変化されたＤＰＦ１０４を用いて、ＤＰＦシステム１００の各ＤＰＦの機能や表示の設定を行うことができる。
【００２６】
また、複数のＤＰＦがインターネット上にあるフォトストレージサーバと通信して画像データの送受信を行う場合においては、各ＤＰＦのフォトストレージサーバとの間の通信速度が異なる場合がある。例えば、あるＤＰＦは無線ＬＡＮ及び有線ＬＡＮによりインターネットに接続されており、あるＤＰＦは有線ＬＡＮのみによりインターネットに接続されている場合などである。このような場合には、各ＤＰＦの通信速度の大小関係からそれぞれのデジタルフォトフレームの親子関係を設定するようにしてもよい。例えば、通信速度が最大のＤＰＦが親機として動作し、それ以外のＤＰＦは子機として動作する。この場合には、例えば、ネットワーク１１０を介して接続されている他のすべてのＤＰＦに対して、測定した自装置の通信速度の値を送信し各ＤＰＦは自装置の通信速度及び受信した他装置の送信速度に基づいて親機として動作するか、子機として動作するかの判断を行う。そして判断結果に基づいて、親機又は子機に変化する必要がある場合には、親機又は子機に変化するための処理を行う。また、例えば、各ＤＰＦは、測定した自装置の通信速度の値をその時点の親機に対して送信する。親機は、自装置の通信速度が最大でないことを検知したときは、通信速度が最大である自装置以外のＤＰＦを親機に指定し子機に変化するための処理を行う。
【００２７】
なお、通信速度の測定は、ネットワーク１１０を介して接続されているＤＰＦの数が変化した時点でその都度行ってもよいし、予め指定されている時間間隔で定期的に行ってもよい。これにより、親機として機能するＤＰＦはサムネイル一覧を表示するための複数の画像データのダウンロードを短時間で行うことができる。
【００２８】
なお、上述のＤＰＦの動作モードの第１及び第２の変更処理では、制御信号の通信にイーサネット規格のネットワーク１１０を使用しているが、イーサネット規格のネットワークに替えて、Ｗｉ−Ｆｉ、ＺｉｇＢｅｅ（登録商標）、Ｂｌｕｅｔｏｏｔｈ（登録商標）等の通信規格のネットワークを採用してもよい。また、これらの通信ネットワークに限らず、特定の音、光、電波等を用いて制御信号の情報を送受信してもよい。例えば、上述のＤＰＦの動作モードの第１及び第２の変更処理において、制御信号を送信するＤＰＦが、制御信号の替わりに所定のパターンの音（トーン音）を発生し、制御信号を受信するＤＰＦが、当該トーン音を検知して所定の動作モードの変更を実行するようにしてもよい。
【００２９】
次に、この実施の形態に係るデジタルフォトフレームシステムにおいて所定のデジタルフォトフレームの動作モードが、当該デジタルフォトフレームが備える変更禁止手段によって固定される場合について説明する。この実施の形態に係る変更禁止手段は、ＬＣＤパネル６に表示される画像の種類に基づいて、モード設定部４４に設定されているＤＰＦ２の動作モードの変更を禁止する。ここで、ＤＰＦシステム１００を例にして、各ＤＰＦが備える変更禁止手段が行う具体的なモード固定処理について説明する。なお、ＤＰＦ１０２が親機動作モードに、ＤＰＦ１０４，１０６，１０８のそれぞれが子機動作モードに予め設定されている場合を例にして説明する。
【００３０】
所定のＤＰＦに特定の種類の画像が表示されているときには、当該ＤＰＦが備える変更禁止手段は、モード設定部４４に設定されている動作モードに対する変更処理を自動的に禁止して動作モードを固定する。即ち、親機ＤＰＦ１０２において、ＤＰＦ１０２が備える内部メモリ３２等に設けられた「お気に入り」フォルダ等に記憶されている画像が表示されている場合は、モード設定部４４に設定されている親機動作モードを自動的に固定する。従って、子機ＤＰＦ１０４〜１０８が操作されて、操作されたＤＰＦから子機への変化を指示する制御信号がＤＰＦ１０２に対して送信された場合でも、当該信号に基づいてＤＰＦ１０２の動作モードが子機動作モードに変更されることが防止される。従って、ＤＰＦ１０２の使用者は、他のＤＰＦからの操作によって機能や表示の設定が変更されることなく、継続して所望の画像を表示させることができる。
【００３１】
また、「お気に入り」フォルダ等に記憶されている特定の種類の画像が表示されている場合だけでなく、ＤＰＦ１０２が備える内部メモリ３２等に特定の種類の画像または特定の種類の画像が記憶されているフォルダが存在する場合に、変更禁止手段がモード設定部４４に設定されている動作モードを自動的に固定してもよい。この場合には、特定の種類の画像を表示していない場合においても、例えばＤＰＦ１０４〜１０８の操作に基づいてＤＰＦ１０２の動作モードが子機動作モードに変更されることが防止される。従って、新たに親機に設定されたＤＰＦによってＤＰＦ１０２に記憶されている特定の種類の画像データが消去されることなどが防止される。
【００３２】
なお、子機ＤＰＦ１０４〜１０８の所定のＤＰＦにおいて特定の種類の画像が表示されているときに、モード設定部４４に設定されている子機動作モードが、当該ＤＰＦが備える変更禁止手段によって自動的に固定されるようにしてもよい。この場合には、設定されている動作モードだけでなく、当該ＤＰＦの機能や表示の設定も固定されることが望ましい。この場合には、当該ＤＰＦの使用者は、親機からの操作によって機能や表示の設定が変更されることなく、継続して所望の画像を表示させることができる。
【００３３】
また、親機ＤＰＦが、所定の子機ＤＰＦに対して変更禁止手段の起動を指示する制御信号を出力し、当該子機ＤＰＦの動作モードを固定するようにしてもよい。即ち、親機ＤＰＦ１０２から子機ＤＰＦ１０４〜１０８の中の所望のＤＰＦに対し、動作モードの固定を指示する制御信号が出力された場合には、当該制御信号を受信した子機ＤＰＦの動作モードが固定される。この場合には、子機動作モードに固定されたＤＰＦは操作を受け付けないため、例えばＤＰＦの使用に不慣れな使用者によって子機動作モードに設定されているＤＰＦの機能や表示の設定が変更されることが防止される。
【００３４】
また、上述の実施形態において、スライドショーの表示を行っているＤＰＦは当該ＤＰＦが備える変更禁止手段によって動作モードが固定されるようにしてもよい。この場合には、スライドショー表示を他のＤＰＦからの操作によって変更されることなく、継続してスライドショーを見続けることができる。また、設定画面を表示しているＤＰＦは当該ＤＰＦが備える変更禁止手段によって動作モードが固定されるようにしてもよい。
【００３５】
なお、変更禁止手段による動作モードの固定は、パスワード等の入力によって解除できるようにするのが望ましい。従って、例えば子機ＤＰＦの使用者によって当該ＤＰＦの動作モードが固定され、親機ＤＰＦからの制御信号を受け付けない場合にも、親機ＤＰＦからパスワード信号を送信することで当該子機ＤＰＦの動作モード固定を解除し、設定変更等を実行することができる。
【００３６】
なお、この実施の形態に係るＤＰＦシステムにおいては、親機ＤＰＦが１台存在する場合を例にしているが、これに限られず、複数台の親機ＤＰＦが存在してもよい。即ち、例えば既に存在している親機ＤＰＦの動作モードが固定されている場合等には、新たに操作された子機ＤＰＦを新たな親機ＤＰＦに変化させて、他の子機ＤＰＦの機能設定等を行ってもよい。
【００３７】
本発明のデジタルフォトフレーム及びデジタルフォトフレームシステムによれば、ネットワークを介して接続されている複数のＤＰＦの各々の動作モードを、親機動作モードと子機動作モードの何れか一方に設定することができるため、親機ＤＰＦを用いて他のＤＰＦの機能や表示を個別にまたは一括して設定することができる。また、操作された子機ＤＰＦが新たな親機ＤＰＦに変化するため、予め親機として設定されているＤＰＦだけでなく、所望のＤＰＦを用いて他のＤＰＦの機能や表示を個別にまたは一括して設定することができる。従って、複数のＤＰＦが存在する場合であっても容易にかつ効率的に操作をすることができる。
【符号の説明】
【００３８】
２，１０２，１０４，１０６，１０８…デジタルフォトフレーム（ＤＰＦ）、４…装置本体、６…ＬＣＤパネル、１４…操作キー、３０…ＣＰＵ、３２…内部メモリ、３４…表示制御部、４０…送信部、４２…受信部、４４…モード設定部、６０…メニュー画面、１００…デジタルフォトフレームシステム（ＤＰＦシステム）、１１０…ネットワーク
【図１】
2010033004.tif 000003
【図２】
2010033004.tif 000004
【図３】
2010033004.tif 000005
【図４】
2010033004.tif 000006
【図５】
2010033004.tif 000007
【図６】
2010033004.tif 000008
【図７】
2010033004.tif 000009